(57)【要約】【課題】ハンズフリー機器からリダイヤル要求をする場合に、意図しない相手先へのダイヤル発信防止と利用者の負担軽減を図る。【解決手段】ハンズフリー機器から送信されるリダイヤル要求を受信するリダイヤル要求受信部と、前記リダイヤル要求を受信したときに発信するハンズフリー機器を個別に識別することなく予め設定された唯一の固定的な電話番号を記憶する記憶部と、前記リダイヤル要求を受信した場合に、前記固定的な電話番号を、前記記憶部から選択する発呼先選択部と、前記選択された発呼先の電話番号に、ダイヤル発信を行う発呼部を備えたことを特徴とする。【選択図】図７
2013223119.tif 000002
【特許請求の範囲】
【請求項１】
ハンズフリー機器から送信されるリダイヤル要求を受信するリダイヤル要求受信部と、
前記リダイヤル要求を受信したときに発信するハンズフリー機器を個別に識別することなく予め設定された唯一の固定的な電話番号を記憶する記憶部と、
前記リダイヤル要求を受信した場合に、前記固定的な電話番号を、前記記憶部から選択する発呼先選択部と、
前記選択された発呼先の電話番号に、ダイヤル発信を行う発呼部を備えたことを特徴とする携帯電子機器。
【請求項２】
ハンズフリー機器から送信されるリダイヤル要求を受信するリダイヤル要求受信部と、
前記ハンズフリー機器の機器識別名と、発呼先の電話番号とを対応づけた発呼先リストを記憶した記憶部と、
前記リダイヤル要求を受信した場合に、前記受信したリダイヤル要求を送信してきたハンズフリー機器の機器識別名と対応づけて記憶された発呼先の電話番号を、前記記憶部の発呼先リストから選択する発呼先選択部と、
前記選択された発呼先の電話番号に、ダイヤル発信を行う発呼部とを備えたことを特徴とする携帯電子機器。
【請求項３】
入力部と、発呼先設定部とをさらに備え、
前記発呼先設定部が、前記入力部によって入力されたハンズフリー機器の機器識別名と、そのハンズフリー機器からのリダイヤル要求を受信した場合に固定的にダイヤル発信をする相手先の電話番号とを、前記記憶部の発呼先リストに記憶させることを特徴とする請求項２記載の携帯電子機器。
【請求項４】
前記記憶部に、ダイヤル発信したことのある相手先の電話番号および着信したことのある相手先の電話番号を含むリダイヤル履歴と、相手先の識別名および電話番号からなる電話帳を記憶し、
前記発呼先設定部は、固定的にダイヤル発信をする相手先の電話番号として、前記入力部によって選択入力された前記リダイヤル履歴あるいは電話帳の中の相手先の電話番号を、前記発呼先リストに記憶させることを特徴とする請求項３記載の携帯電子機器。
【請求項５】
前記記憶部に、前記ハンズフリー機器からのリダイヤル要求があった場合に、前記発呼先リストを用いた固定的な発呼先へのダイヤル発信を有効とするかあるいは無効とするかを設定するための固定発呼設定情報を記憶し、
前記固定発呼設定情報が有効に設定されている場合に、
前記発呼先選択部は、前記発呼先リストに記憶された電話番号の中から、前記リダイヤル要求を送信してきたハンズフリー機器の機器識別名に対応づけられた電話番号を選択することを特徴とする請求項２ないし４のいずれかに記載の携帯電子機器。
【発明の詳細な説明】
【技術分野】
【０００１】
この発明は、携帯電子機器に関し、特に、ハンズフリー通話装置からの発信要求に基づいて相手先の電話等に発信接続する機能を有する携帯電子機器に関する。
ここで、携帯電子機器とは、たとえば、携帯電話、スマートホン、タブレット端末、ノートパソコン、その他無線通信および通話機能を有する携帯可能な通信機器等を意味する。
【背景技術】
【０００２】
現在利用されている携帯電話は、過去に発信したことのある相手先に簡単な操作で再度発信することが可能なリダイヤル機能を有している。
リダイヤル機能としては、最後に発信した相手先の電話番号を１つだけ記憶しておくものや、最近発信したことのある複数（たとえば１０件）の相手先の電話番号をリダイヤル履歴リストとして記憶しておくものがある。
相手先の電話番号を１つだけ記憶しておくものでは、利用者がリダイヤルを要求する操作をした場合、直前に発信した相手先の電話番号に発信する。
また、リダイヤル履歴リストを記憶しているものでは、そのリストを表示させ、表示された複数の電話番号あるいは名前の中から所望のものを選択する操作をした後、その選択した相手先の電話番号に発信する。
【０００３】
また、今日、ヘッドホン、マイクおよびコントロールスイッチを備えたワイヤレスヘッドセットに代表されるハンズフリー通話装置が利用されている。
ハンズフリー通話装置は、Bluetooth（登録商標）等の無線通信によって主装置である携帯電話と接続され、携帯電話によって発信された相手先と通話を行うものであり、ハンズフリー通話装置に備えられたコントロールスイッチを押すことにより、所定の相手先に対してダイヤル発信を行うことができるものがある。
一般的にハンズフリー通話装置自体には表示部がなく、発信する相手先番号を確認することができないので、コントロールスイッチを操作してダイヤル発信をする場合は、リダイヤル機能が用いられ、主装置の携帯電話で最後すなわち直前に発信した相手先の電話番号に発信することが行われている。
【０００４】
また、発信する相手先の電話番号を選択した後に、ダイヤル発信を行えるタイプのハンズフリー通話装置では、主装置の携帯電話の表示画面に発信しようとする相手先の電話番号のリストを表示させて、所定の選択操作を行った後に、選択された相手先にダイヤル発信する。
このようなリダイヤル機能や、相手先の電話番号を選択してダイヤル発信する場合は、ユーザによる何らかの入力操作が必要となるが、ダイヤル発信を容易かつ迅速に行うために電話番号の選択操作などについて種々の工夫が提案されている（特許文献１〜５参照）。
【０００５】
たとえば、特許文献１には、発信相手先ごとの発信回数データと発信順データを記憶しておき、最近かつ頻繁に発信した電話番号が優先的に表示されるようにして、より迅速にリダイヤルを行うことができるようにしたリダイヤル装置が記載されている。
また、特許文献２には、電話機に着信のあった着信番号をワイヤレスハンズフリー機器に記憶しておき、その機器に備えられた着信リダイヤル操作ボタンを押すことにより、受話できなかった電話をかけてきた相手に発信するようにして使用利便性を向上させたハンズフリー通話装置が記載されている。
【先行技術文献】
【特許文献】
【０００６】
【特許文献１】特開２０００−２８６９４７号公報
【特許文献２】特開２００６−３１１１４３号公報
【特許文献３】特開２００８−１９３１４９号公報
【特許文献４】特開２００９−２９６５４７号公報
【特許文献５】国際公開ＷＯ９９／２２５０５号
【発明の概要】
【発明が解決しようとする課題】
【０００７】
しかし、日常的に毎日、同じ電話番号Ａにダイヤル発信をするような利用方法がされる場合があり、そのような固定的な電話番号Ａへ発信するためには、できるだけ容易な操作でダイヤル発信することが要求される。
【０００８】
たとえば、ハンズフリー通話装置を利用してダイヤル発信をする場合、リダイヤル発信機能を用いれば、携帯電話において最後に発信した電話番号Ｂへダイヤル発信することになる。
しかし、携帯電話において、所望の固定的な電話番号Ａとは異なる電話番号Ｃに発信をしていた場合は、ハンズフリー通話装置のリダイヤル機能を用いて発信すると、そのダイヤル発信される相手は電話番号Ａではなく、最後に発信をした電話番号Ｃとなり、意図しない電話番号に発信してしまうことになる。
すなわち、リダイヤル機能を使った場合に、常に同じ電話番号にダイヤル発信できるとは限らない。
【０００９】
また、複数の電話番号を記憶することのできるハンズフリー通話装置では、上記の固定的な電話番号Ａが常に最優先のリダイヤル番号になっているとは限らないため、リダイヤルする電話番号を選択する操作をしなければならない。
すなわち、固定的な電話番号へのダイヤル発信をするために、複雑な入力操作が必要であり、迅速かつ容易なダイヤル発信ができず、また、記憶素子や操作部品を設ける必要があるので、ハンズフリー通話装置のコストが高くなる。
【００１０】
さらに、表示部を持たないハンズフリー通話装置自体では、ダイヤル発信先の相手の電話番号を確認できないので、利用者は、リダイヤル履歴リスト等を記憶している携帯電話の表示画面で、リダイヤルの電話番号が本当に意図する相手なのかどうかをその都度確認する必要がある。
一般的にハンズフリー通話装置を用いる場合は、主装置の携帯電話はかばんやポケットに入れている場合が多いので、リダイヤル相手先が正しいかどうかを確認するためには、その都度携帯電話をかばん等から取り出すことが必要となるが、その動作は面倒であり、ハンズフリーの利点が半減し、操作性が良いとは言えない。
【００１１】
そこで、この発明は、以上のような事情を考慮してなされたものであり、ハンズフリー通話装置を用いて、所望の同一の電話番号にダイヤル発信する場合の操作性を向上させることのできる携帯電子機器を提供することを課題とする。
【課題を解決するための手段】
【００１２】
この発明は、ハンズフリー機器から送信されるリダイヤル要求を受信するリダイヤル要求受信部と、前記リダイヤル要求を受信したときに発信するハンズフリー機器を個別に識別することなく予め設定された唯一の固定的な電話番号を記憶する記憶部と、前記リダイヤル要求を受信した場合に、前記固定的な電話番号を、前記記憶部から選択する発呼先選択部と、前記選択された発呼先の電話番号に、ダイヤル発信を行う発呼部を備えたことを特徴とする携帯電子機器を提供するものである。
【００１３】
この発明は、ハンズフリー機器から送信されるリダイヤル要求を受信するリダイヤル要求受信部と、前記ハンズフリー機器の機器識別名と、発呼先の電話番号とを対応づけた発呼先リストを記憶した記憶部と、前記リダイヤル要求を受信した場合に、前記受信したリダイヤル要求を送信してきたハンズフリー機器の機器識別名と対応づけて記憶された発呼先の電話番号を、前記記憶部の発呼先リストから選択する発呼先選択部と、前記選択された発呼先の電話番号に、ダイヤル発信を行う発呼部とを備えたことを特徴とする携帯電子機器を提供するものである。
【００１４】
これによれば、リダイヤル要求を送信してきたハンズフリー機器に対応づけられた発呼先の電話番号を、発呼先リストから選択してダイヤル発信をするので、ハンズフリー機器を利用した特定相手先へのリダイヤル発信において、その都度、リダイヤル発信をする相手先の電話番号を目視して確認する必要はなく、意図しない電話番号へダイヤル発信してしまうことを防止でき、利用者のリダイヤル操作の負担軽減を図ることができる。
【００１５】
また、入力部と、発呼先設定部とをさらに備え、前記発呼先設定部が、前記入力部によって入力されたハンズフリー機器の機器識別名と、そのハンズフリー機器からのリダイヤル要求を受信した場合に固定的にダイヤル発信をする相手先の電話番号とを、前記記憶部の発呼先リストに記憶させることを特徴とする。
これによれば、利用者は、ハンズフリー機器から固定的にダイヤル発信をする相手先の電話番号を、自らの意思で設定することができる。
【００１６】
また、前記記憶部に、ダイヤル発信したことのある相手先の電話番号および着信したことのある相手先の電話番号を含むリダイヤル履歴と、相手先の識別名および電話番号からなる電話帳を記憶し、前記発呼先設定部は、固定的にダイヤル発信をする相手先の電話番号として、前記入力部によって選択入力された前記リダイヤル履歴あるいは電話帳の中の相手先の電話番号を、前記発呼先リストに記憶させることを特徴とする。
これによれば、リダイヤル履歴あるいは電話帳の中から相手先の電話番号を選択入力するので、相手先の電話番号を直接入力する必要はなく、入力ミスを防止でき、利用者の入力操作を容易にし、操作負担を軽減できる。
【００１７】
また、前記記憶部に、前記ハンズフリー機器からのリダイヤル要求があった場合に、前記発呼先リストを用いた固定的な発呼先へのダイヤル発信を有効とするかあるいは無効とするかを設定するための固定発呼設定情報を記憶し、前記固定発呼設定情報が有効に設定されている場合に、前記発呼先選択部は、前記発呼先リストに記憶された電話番号の中から、前記リダイヤル要求を送信してきたハンズフリー機器の機器識別名に対応づけられた電話番号を選択することを特徴とする。
これによれば、利用者は自らの意思で固定発呼設定情報を有効に設定することにより、ハンズフリー機器を用いた固定的な相手先へのダイヤル発信を行うことができ、誤って意図しない相手先へリダイヤルされてしまうことを防止できる。
【発明の効果】
【００１８】
この発明によれば、ハンズフリー機器の機器識別名と発呼先の電話番号とを対応づけた発呼先リストを記憶しておき、発呼先選択部が、リダイヤル要求を送信してきたハンズフリー機器に対応づけられた発呼先の電話番号を、発呼先リストから選択して、その選択された発呼先の電話番号にダイヤル発信するので、ハンズフリー機器を利用して、通常固定的に電話をかける特定の相手先にリダイヤル発信をする場合において、その都度、リダイヤル発信をする相手先の電話番号を目視して確認する必要がなく、意図しない電話番号へダイヤル発信してしまうことを防止でき、利用者がリダイヤル操作をする場合の負担軽減を図ることができる。
【図面の簡単な説明】
【００１９】
【図１】この発明の携帯電話機の一実施例の構成ブロック図である。
【図２】この発明のハンズフリー機器からリダイヤル要求があった場合の発呼先を記憶した発呼先リストの一実施例の説明図である。
【図３】この発明の携帯電話機に記憶されるリダイヤル履歴の一実施例の説明図である。
【図４】この発明の携帯電話機に記憶されるリダイヤル履歴の一実施例の説明図である。
【図５】この発明のハンズフリー機器のリダイヤル番号を設定入力する画面の一実施例の説明図である。
【図６】この発明のハンズフリー機器のリダイヤル番号を設定入力する処理の一実施例の説明図である。
【図７】この発明の携帯電話機におけるリダイヤル発信処理の一実施例のフローチャートである。
【発明を実施するための形態】
【００２０】
以下、図面を使用して本発明の実施の形態を説明する。なお、以下の実施例の記載によって、この発明が限定されるものではない。
以下の実施例では、この発明の携帯電子機器として、携帯電話機を一つの例として記載する。ただし、携帯可能なその他の通話機能を有する通信機器においても、同様の構成および機能を有することが可能である。
【００２１】
＜携帯電話機の構成＞
図１に、この発明の携帯電話機の一実施例の構成ブロック図を示す。
携帯電話機１は、携帯性を有し、無線によって他の固定電話や携帯電話機等に対して、ダイヤル発信（発呼とも呼ぶ）し、他の固定電話機等と通話することが可能な電子機器である。以下、単に電話機あるいはＴＥＬとも呼ぶ。
【００２２】
ハンズフリー機器１００は、携帯電話機１と近距離の無線通信が可能であり、携帯電話機１に対してリダイヤル発信を要求し、ダイヤル発信した相手先と通話することのできる機器である。
ハンズフリー機器１００の１つの形態としては、  たとえば、マイク、スピーカおよびコントロールスイッチを備えたハンドセットがあり、通信可能距離が１ｍから１００ｍ程度の近距離無線通信機能を有する。
【００２３】
ハンズフリー機器１００は、この発明に関係する構成として、主として、リダイヤル要求入力部１０１と、通信部１０２とを備える。
通信部１０２は、電話機１との間で無線通信を行う部分である。無線通信規格としては、たとえば、Bluetoothなどが用いられる。
【００２４】
リダイヤル要求入力部１０１は、コントロールスイッチに相当し、たとえば、ユーザがコントロールスイッチを一定時間（１秒間程度）以上押された場合に、通信部１０２を介して、リダイヤル要求に対応した信号を、電話機１へ送信する。
リダイヤル要求信号には、少なくとも、リダイヤル要求を意味するデータが含まれる。ただし、ハンズフリー機器１００を識別する個別の識別番号を含めてもよい。
【００２５】
リダイヤル要求信号に識別番号を含まない場合は、ハンズフリー機器１００と電話機１との間で、無線通信を確立するための所定の接続手順を実行して、予め通信を確立させ、この通信の確立のために実行される接続手順の中で、ハンズフリー機器１００から、そのハンズフリー機器１００の識別番号を取得してもよい。
すなわち、ハンズフリー機器１００の個別の識別番号の取得方法としては、たとえば、リダイヤル要求信号に識別番号を含める方法と、予め実行される通信の確立処理のときに識別番号を取得する方法がある。ただし、これに限るものではない。
【００２６】
通信の確立処理の１つの実施例としては、たとえば、Bluetoothのペアリングがある。
このペアリングは、ハンズフリー機器１００と電話機１との間で１回だけ行えばよく、このペアリング処理の中で、ハンズフリー機器の識別番号が電話機１へ送信され、電話機１に、ペアリング済みのハンズフリー機器の番号として保存される。
以後、両者間の無線通信は正当なものとして認識され、ペアリング済みのハンズフリー機器から送信される情報（たとえばリダイヤル要求）は、正当な情報として電話機１に受信される。
なお、リダイヤル要求信号に識別番号を含まない場合は、ハンズフリー機器を識別しないので、リダイヤルされる相手先の電話番号は、予め設定した唯一の相手先に限定してもよい。
【００２７】
１つの電話機１と無線通信を行うことのできるハンズフリー機器１００は、１つに限られず、複数台あってもよい。ただし、ｎ台のハンズフリー機器１００と通信可能な電話機において、ある１台のハンズフリー機器１００からのリダイヤル要求を受信してその要求に対応したダイヤル発信をした場合は、他のハンズフリー機器１００からのリダイヤル要求は受信しないものとする。
なお、ハンズフリー機器としては、リダイヤル要求機能を有する既存のハンズフリー機器を用いることができ、新たに専用のハンズフリー機器を利用する必要はない。
【００２８】
携帯電話機１のリダイヤル要求受信部１１は、１または複数のハンズフリー機器１００から送信されるリダイヤル要求信号を受信する部分である。
ハンズフリー機器１００の通信部１０２と、電話機１のリダイヤル要求受信部１１とは、所定の近距離無線通信により、データ通信を行う。
たとえば、ハンズフリー機器１００と電話機１とが、Bluetoothの近距離無線通信機能を有している場合、両者が１ｍから１００ｍ程度以下の距離にあるときに、無線通信が成立する。
上記したように、ある１台のハンズフリー機器１００から、そのハンズフリー機器を識別する識別番号を含むリダイヤル要求を受信した場合、その識別番号を記憶部２１に、一時的に記憶する。
【００２９】
発呼先選択部１２は、ハンズフリー機器からのリダイヤル要求を受信した場合に、受信したリダイヤル要求に基づいて、リダイヤルをする相手先の電話番号を選択する部分である。
リダイヤル要求受信部１１が識別番号を含まないリダイヤル要求を受信した場合は、予め実行された通信の確立手順の際に取得された識別番号に基づいて、固定的に記憶した電話番号が自動的に選択され、その電話番号にダイヤル発信される。
また、リダイヤル要求受信部１１が識別番号を含むリダイヤル要求を受信した場合、発呼先選択部１２は、記憶部２１に記憶されている発呼先リスト２３を利用し、受信したリダイヤル要求を送信してきたハンズフリー機器１００の識別番号と一致する機器識別名２３−１と対応づけて記憶された発呼先の電話番号２３−２を選択する。
【００３０】
図２に、発呼先リスト２３の一実施例の説明図を示す。
発呼先リスト２３は、ハンズフリー機器の機器識別名２３−１と、発呼先の電話番号２３−２とを対応づけて記憶したデータである。
機器識別名２３−１は、複数台のハンズフリー機器を区別するための識別番号であり、各ハンズフリー機器ごとにそれぞれ異なるデータが付与される。機器識別名２３−１としては、たとえば、固有の製造番号や、ＭＡＣアドレスなどの機器アドレスを用いてもよい。
発呼先の電話番号２３−２は、対応するハンズフリー機器からリダイヤル要求があったときに、発呼する相手先の電話機の電話番号であり、後述するように、利用者によって予め設定される。
【００３１】
たとえば、受信したリダイヤル要求に含まれる識別番号が、「ＨＮＤ００２」であったとすると、発呼先選択部１２が、発呼先リスト２３の中に、この識別番号「ＨＮＤ００２」と一致する機器識別名２３−１がないかチェックする。図２の場合、一致する機器識別名があるので、この機器識別名に対応する発呼先の電話番号（０６−２２２２−２２２２）を取得する。
ハンズフリー機器からリダイヤル要求があった場合、発呼先選択部１２によって取得された電話番号に、ダイヤル発信することになる。
【００３２】
表示部１３は、電話機１の機能に基づいて各種情報が表示される部分であり、たとえば、発呼先の電話番号、リダイヤル番号の設定メニュー、発信先の登録名、写真などが表示される。表示部１３としては、ＬＣＤ、有機ＥＬ素子などが用いられる。
発呼部１４は、選択された発呼先の電話番号に、ダイヤル発信を行う部分である。
ダイヤル発信とは、電話機が接続可能な電話網に対し、所定の回線捕捉動作を行い、発呼先の電話番号を持つ電話機を呼び出す処理を意味する。
通話部１５は、ダイヤル発信した後、相手の電話機が着信に応答して、双方の電話機間で回線が確立され、通話が可能となった状態で、利用者の音声による通話を行う部分である。
【００３３】
入力部１６は、利用者が各種情報を入力する部分であり、キーボード、マウス、タッチパネルなどが用いられる。
あるいは、従来のスマートホンのように、タッチパネルと一体成型された表示部１３に、所定の入力ボタンを表示し、その表示された入力ボタンの領域を接触することにより、機能の選択や情報を入力してもよい。たとえば、発呼先リスト２３の情報が入力される。
この表示部１３、発呼部１４、通話部１５および入力部１６は、従来から用いられている携帯電話やスマートホンでも備えられている構成要素と同じものを用いてもよい。
【００３４】
発呼先設定部１７は、利用者の入力操作によって、発呼先リスト２３の情報を設定する部分である。具体的には、入力部によって入力されたハンズフリー機器の機器識別名と、そのハンズフリー機器からのリダイヤル要求を受信した場合に固定的にダイヤル発信をする相手先の電話番号とを、記憶部の発呼先リスト２３に記憶させる。
また、記憶部２１に記憶される固定発呼設定情報２４を設定する部分でもある。
固定発呼設定情報２４は、後述するように、ハンズフリー機器からのリダイヤル要求があった場合に、発呼先リスト２３を用いた固定的な発呼先へのダイヤル発信を行うか否か、すなわち有効とするかあるいは無効とするかを設定するための情報である。
【００３５】
図５（ａ）および図５（ｂ）に、ハンズフリー機器のリダイヤル番号を設定する表示画面の一実施例の説明図を示す。
まず、所定のキー入力や、表示された初期メニューの画面から、リダイヤル番号設定機能を意味するアイコンを選択入力する。
これにより、図５（ａ）に示したような表示画面が表示部１３に表示され、ハンズフリー機器の機器識別名と、そのハンズフリー機器で固定的にダイヤル発信する相手先の電話番号とが設定入力できるようになる。
図５（ａ）では、利用者が、機器識別名「ＨＮＤ００１」と、電話番号「０３−１１１１−１１１１」とを入力した状態を示している。
【００３６】
図５（ｂ）は、利用できるハンズフリー機器の識別名が電話機１にすでに登録されている場合の設定画面を示しており、ここでは、そのハンズフリー機器によって固定的にダイヤル発信する相手先の電話番号を編集するための入力をする。
あるいは、対応する相手先の電話番号が、すでに複数のハンズフリー機器に対して設定入力されている場合は、図２に示すような発呼先リストを表示画面に表示させて、利用者が設定変更しようとするハンズフリー機器の表示領域を選択入力した後に、図５（ｂ）の表示画面を表示させて、すでに入力されていた電話番号を、設定変更できるようにしてもよい。
なお、利用可能なハンズフリー機器の機器識別名は、利用者が直接入力してもよいが、デバイス検索や登録済みデバイスリストを参照することによりハンズフリー機器から取得してもよい。
【００３７】
また、後述するように、ハンズフリー機器からのリダイヤル要求によって固定的にダイヤル発信をする相手先の電話番号は、上記のように利用者が直接入力することの他に、電話機１の記憶部にすでに記憶されているリダイヤル履歴あるいは電話帳等の中の相手先の電話番号を、入力部によって選択入力することにより、発呼者リスト２３に記憶させてもよい。
【００３８】
記憶部２１は、電話機１の各種機能を実行するために必要な情報や、プログラムを記憶する部分である。記憶部２１としては、ＲＯＭやＲＡＭ等の半導体記憶素子、ハードディスク、フラッシュメモリ、ＳＤカード等の記憶媒体が用いられる。この発明では、記憶部２１には、特に、リダイヤル履歴２２、発呼先リスト２３、固定発呼設定情報２４、電話帳２５が記憶される。
発呼先リスト２３は、上記した図２に示すようなデータである。電話帳２５は、従来から用いられているように、相手先の識別名とその相手先の電話番号からなる情報である。
【００３９】
リダイヤル履歴２２は、ダイヤル発信したことのある相手先（発信者）の識別名とその相手先の電話番号とを対応づけて記憶した発信履歴と、着信したことのある相手先（着信者）の識別名とその相手先の電話番号とを対応づけて記憶した着信履歴とを記憶したものである。
図３に、発信履歴と着信履歴とからなるリダイヤル履歴２２の一実施例の説明図を示す。
【００４０】
また、図４に、リダイヤル履歴２２の発信履歴についての他の実施例の説明図を示す。
図４では、発信相手先の識別名と電話番号に加えて、発呼先設定部１７によって設定入力したハンズフリー機器の機器識別名も記憶している。
ここで、リダイヤル履歴の番号００１、００３、００４、１００の欄の電話番号は、それぞれ対応するハンズフリー機器からリダイヤル要求があったときに固定的にダイヤル発信をする電話番号としても設定されていることを意味する。
発呼先選択部１２は、この図４のリダイヤル履歴の中の機器識別名を検索することにより、受信したリダイヤル要求に対応する電話番号を取得することもできる。
【００４１】
固定発呼設定情報２４は、上記したように、ハンズフリー機器１００からのリダイヤル要求に対して、予め設定された固定的な発呼先へのダイヤル発信を有効とするか、あるいは無効とするかを設定する情報である。
たとえば、利用者によって「有効」であることを示す入力がされた場合は、「１」が設定され、「無効」であることを示す入力がされた場合は、「０」が設定される。
固定発呼設定情報２４が「有効（１）」に設定されている場合に、ハンズフリー機器１００からリダイヤル要求を受信したとすると、発呼先選択部１２が、発呼先リスト２３に記憶された電話番号の中から、リダイヤル要求を送信してきたハンズフリー機器の機器識別名２３−１に対応づけられた電話番号２３−２を選択し、その選択された電話番号２３−２に固定的なダイヤル発信が行われる。
【００４２】
一方、固定発呼設定情報２４が「無効（０）」に設定されている場合に、ハンズフリー機器１００からリダイヤル要求を受信したとすると、固定的なダイヤル発信は行わず、電話機１で通常行われているリダイヤル発信が行われる。
たとえば、リダイヤル履歴２２の先頭に記憶されている電話番号にダイヤル発信される。この先頭に記憶されている電話番号が、最後すなわち直前にダイヤル発信した電話番号である場合は、直前に電話をかけた相手先にダイヤル発信することになる。
【００４３】
＜リダイヤル番号の設定＞
図６に、ハンズフリー機器のリダイヤル番号を設定入力する処理の一実施例の説明図を示す。
図６（ａ）は、ハンズフリー機器のリダイヤル番号の設定機能を起動させた後のメニュー画面の一実施例である。ここでは、リダイヤル番号の設定に関して、２つの項目が選択できる画面が、表示部１３に表示されている。
１つは、ハンズフリー機器のリダイヤル番号を直接入力するための選択項目１３−１であり、もう１つは、ハンズフリー機器の発呼先リストを表示させるための選択項目１３−２である。
図６（ａ）の表示画面において、「リダイヤル番号入力」１３−１を選択する入力がされた場合、図６（ｂ）の画面が表示される。
一方、「発呼先リスト表示」１３−２を選択する入力がされた場合、図６（ｃ）の画面が表示される。
【００４４】
図６（ｂ）において、新たなハンズフリー機器に対するリダイヤル番号の設定入力が行われる。
ハンズフリー機器の「機器識別名入力欄」には、機器識別名（たとえば、ＨＮＤ００１）を入力し、発呼先の「電話番号入力欄」には、固定的にダイヤル発信をする相手先の電話番号（たとえば、０３−１１１１−１１１１）を入力する。
利用者が上記情報を入力した後、「確定」ボタンを選択入力した場合、入力された情報が、記憶部２１の発呼先リスト２３に追加記憶され、図６（ｃ）のように、その入力情報を含む発呼先リスト２３が表示される。
【００４５】
図６（ａ）の表示状態で、「発呼先リスト表示」１３−２が選択入力された場合は、図６（ｃ）のように発呼先リスト２３が表示されるので、現在設定されているハンズフリー機器の発呼先電話番号が確認できる。
図６（ｃ）の表示状態において、表示された発呼先の電話番号の変更や訂正などの編集を行いたい場合は、その編集したい「機器識別名」あるいは「発呼先の電話番号」の表示領域を、選択入力する。
たとえば、機器識別名の欄の「ＨＮＤ００１」を選択入力したとすると、表示部１３に、図６（ｄ）の画面が表示される。
【００４６】
図６（ｄ）において、選択入力されたハンズフリー機器に対する発呼先リストの内容が表示され、対応付けられた発呼先の電話番号が編集できる状態となる。
図６（ｄ）の実施例では、ハンズフリー機器の機器識別名（ＨＮＤ００１）が表示され、対応付けられた発呼先の電話番号を入力する欄が表示される。ここで、利用者は、電話番号を変更する場合は、キーやタッチパネルの入力欄を用いて、新しい電話番号を入力すればよい。
その入力後、「確定」ボタンを選択入力した場合、編集された電話番号が、対応するハンズフリー機器の発呼先リストに更新記憶され、図６（ｃ）のように、更新された情報を含む発呼先リスト２３が表示される。
【００４７】
図６では、発呼先リストの電話番号を利用者が直接入力する場合の設定方法を示したが、これに限るものではない。
たとえば、図６（ｂ）や図６（ｄ）の画面が表示された状態において、所定の入力操作をすることによって、記憶部２１に記憶されているリダイヤル履歴２２（発信履歴、着信履歴）や、電話帳２５を読み出して表示させ、表示された識別名や電話番号の中から、所望の識別名や、所望の電話番号を選択入力してもよい。
【００４８】
＜リダイヤル発信処理の説明＞
図７に、この発明の携帯電話機におけるリダイヤル発信処理の一実施例のフローチャートを示す。
ここでは、リダイヤル機能を用いたダイヤル発信は２通りあるものとする。１つは電話機（ＴＥＬ）１に備えられたリダイヤル機能そのものを用いた発信であり、もう１つはハンズフリー機器からのリダイヤル要求に基づく発信である。
図７のフローチャートは、リダイヤル発信に関係する処理のみを示したものであり、この他に通常のダイヤル発信等を行ってもよい。
【００４９】
また、図７のフローチャートでは、ハンズフリー機器の識別番号がリダイヤル要求信号に含まれる場合の実施例について説明する。リダイヤル要求信号に識別番号が含まれない場合は、上記したように、予め実行される通信の確立手順のときに、ハンズフリー機器の識別番号がすでに取得されているものとし、この取得されている識別番号に基づいて発呼先の電話番号を選択すればよい。
【００５０】
ステップＳ１において、電話機１のリダイヤル要求受信部１１によって、ハンズフリー機器からのリダイヤル要求が受信されたか否かをチェックする。
ハンズフリー機器１００において、リダイヤル要求をしようとする場合、たとえば、利用者は、ハンズフリー機器に備えられたコントロールスイッチを、一定時間（たとえば、１秒間）、押し続ける。これにより、通信部１０２から、自己のハンズフリー機器の識別番号を含むリダイヤル要求に相当する信号が送信される。
リダイヤル要求が受信された場合はステップＳ２へ進み、そうでない場合はステップＳ６へ進む。
ステップＳ２において、記憶部２１の固定発呼設定情報２４が「有効」となっているか否かをチェックする。
【００５１】
「有効」となっている場合はステップＳ３へ進み、そうでない場合、すなわち無効となっている場合は、ステップＳ７へ進む。
ステップＳ３において、受信したリダイヤル要求から、そのリダイヤル要求を送信してきたハンズフリー機器の機器識別名を取得する。
ステップＳ４において、発呼先選択部１２が、記憶部２１の発呼先リスト２３の中から、取得した機器識別名に対応付けて記憶されている発呼先電話番号２３−２を選択する。
【００５２】
ステップＳ５において、発呼部１４が、選択した発呼先電話番号２３−２に、ダイヤル発信する。
この場合、リダイヤル要求をしてきたハンズフリー機器に対応づけて発呼先リスト２３に予め記憶されている発呼先電話番号２３−２に対して、固定的にダイヤル発信を行う。その後ステップＳ１へ戻る。
ただし、ダイヤル発信した後、相手先が着信応答した場合は、通話部１５による通話ができる状態となる。
【００５３】
以上のように、ステップＳ１からＳ５までの処理が行われる場合、利用者は、ハンズフリー機器において、リダイヤル要求を意味する入力操作をするだけで、容易かつ迅速に、予め設定されている発呼先電話番号へ、固定的にダイヤル発信をすることができる。電話機本体におけるリダイヤル発信の相手先の電話番号が変化したとしても、必ず同一の発呼先へダイヤル発信をすることができ、複数の発呼先を記憶したリダイヤル履歴を利用した発呼先の選択操作をする必要もない。
【００５４】
ステップＳ１においてリダイヤル要求が受信されなかった場合は、ステップＳ６において、入力部１６によって、電話機本体におけるリダイヤル発信の入力が行われたか否かをチェックする。
たとえば、リダイヤル発信を意味するキー操作が行われたか否かをチェックする。このリダイヤル発信の入力があった場合、ステップＳ７へ進み、そうでない場合は、ステップＳ８へ進む。
【００５５】
ステップＳ７において、発呼先選択部１２が、記憶部２１のリダイヤル履歴２２の中から、リダイヤルすべき発呼先電話番号２２−２を取得する。
たとえば、リダイヤル履歴２２の先頭に記憶されている電話番号が取得される。あるいは、リダイヤル履歴２２の中に、複数の電話番号が記憶されている場合は、そのリダイヤル履歴の電話番号のリストを表示させて、利用者に選択してもらい、選択された電話番号を、発呼先の電話番号に設定してもよい。
その後、ステップＳ５へ進み、取得あるいは選択された発呼先電話番号にダイヤル発信する。この場合は、リダイヤル履歴の先頭に記憶されている電話番号に発信するか、あるいは、利用者が選択した発呼先電話番号に発信することになる。
【００５６】
ステップＳ８において、入力部１６によって、ハンズフリー機器のリダイヤル設定要求を意味する入力が行われたか否かをチェックする。
たとえば、図６（ａ）に示したようなリダイヤル番号設定メニューの画面を表示した状態で、「リダイヤル番号入力」１３−１を選択する入力があったか否かをチェックする。この選択入力があった場合は、ステップＳ９へ進み、そうでない場合は、ステップＳ１へ戻る。
【００５７】
ステップＳ９において、ハンズフリー機器のリダイヤル電話番号の設定処理を行う。ここでは、図６に示したような画面を表示しながら、ハンズフリー機器からリダイヤル要求があった時の発呼先の設定が行われる。その後、ステップＳ１へ戻る。
以上のような処理により、ハンズフリー機器からのリダイヤル要求に基づく固定的な発呼先へのダイヤル発信と、電話機本体のリダイヤル入力操作に基づく選択的な変化しうる発呼先へのダイヤル発信と、ハンズフリー機器ごとの固定的な発呼先電話番号の設定とを、行うことができる。
【００５８】
特に、ハンズフリー機器を用いたリダイヤル要求をする場合に、固定的な発呼先へダイヤル発信するので、意図しない電話番号へダイヤル発信をすることを防止できる。
また、ハンズフリー機器を用いて日常的に同じ電話番号に対して何度もダイヤル発信するような場合に、相手先を選択するような操作をする必要がなく、また、固定発呼設定情報が有効に設定されている場合は、必ず同一の電話番号にダイヤル発信するので、電話機の表示画面で、発呼先の電話番号を確認する必要もなく、利用者の操作負担を軽減できる。
【符号の説明】
【００５９】
１  携帯電話機
１１  リダイヤル要求受信部
１２  発呼先選択部
１３  表示部
１４  発呼部
１５  通話部
１６  入力部
１７  発呼先設定部
２１  記憶部
２２  リダイヤル履歴
２２−１  識別名
２２−２  電話番号
２３  発呼先リスト
２３−１  機器識別名
２３−２  電話番号
２４  固定発呼設定情報
２５  電話帳
１００  ハンズフリー機器
１０１  リダイヤル要求入力部
１０２  通信部
【図１】
2013223119.tif 000003
【図２】
2013223119.tif 000004
【図３】
2013223119.tif 000005
【図４】
2013223119.tif 000006
【図５】
2013223119.tif 000007
【図６】
2013223119.tif 000008
【図７】
2013223119.tif 000009